(57)【特許請求の範囲】
【請求項１】
下面を開口し内部に熱交換器と循環用送風機と換気用送風機を設け、前記換気用送風機の換気口を側部に形成した乾燥機の本体と、この本体の下面開口を覆う形状で吸込口および吹出口を形成した化粧パネルと、前記吹出口外面に着脱可能で、スリット状の開口を有する吹出チャンバーとを備え、前記吹出チャンバーの幅を前記本体の幅より広く形成した浴室換気乾燥機。
【請求項２】
吹出口に着脱自在に設けられる吹出チャンバーに空気を吹き出すスリットを設け、前記スリットに通気口と遮蔽部を有した仕切部材を可動自在に設け、吹出方向を単一または複数に可変できる構成とした請求項１記載の浴室換気乾燥機。
【請求項３】
化粧パネルの吸込口と吹出口との間を仕切り遮蔽するように前記吸込口側に支点を有する遮蔽パネルを可動自在に設けた請求項１記載の浴室換気乾燥機。
【発明の詳細な説明】
【０００１】
【産業上の利用分野】
本発明は浴室の天井裏に設けられ、浴室を利用して洗濯物を乾燥する浴室換気乾燥機に関する。
【０００２】
【従来の技術】
近年、夫婦共働きの増加に伴い洗濯物を室内にて乾かしたいという要望が多くなり、浴室を洗濯物の乾燥の場所として利用する浴室換気乾燥機が普及している。
【０００３】
従来のこの種の浴室換気乾燥機は、浴室の天井に埋込設置されるものが一般的であった。また乾燥運転時、洗濯物に対する温風の当て方により乾燥時間が変わるため実開昭５９−１８６７３７号公報、実開昭６１−１３０１９７号公報に示されるような温風の吹出方向を可変させるタイプの構成と、洗濯物を回動させてこれに温風を当てる構成が考案されていた。以下、その構成について図６〜図８を参照しながら説明する。
【０００４】
図に示すように、温風の吹出方向を可変させるタイプについては、下面を開口し内部に温水コイルよりなる熱交換器１０１と循環用送風機１０２と換気用送風機１０３を設け、室外と連通するダクト１０４の接続される前記換気用送風機１０３の換気口１０５を側部に形成した乾燥機の本体１０６を浴室１０７の天井裏に設けていた。
【０００５】
そして、前記本体１０６の下面開口を覆う形状でフィルタ１０８を有した吸込口１０９および可動自在なルーバー１１０を有した吹出口１１１を形成した化粧パネル１１２を前記本体１０６の下面に取り付ける。
【０００６】
また、運転時間をセットするタイマー１１３を備えたリモコンスイッチ１１４をケーブル１１５により前記本体１０６内の循環用送風機１０２および換気用送風機１０３に接続している。
【０００７】
また、洗濯物を回動させ温風を当てるタイプについては、下面を開口し内部に温水コイルよりなる熱交換器１０１と循環用送風機１０２と換気用送風機１０３を設け、室外と連通するダクト１０４の接続される前記換気用送風機１０３の換気口１０５を側部に形成し、物掛け枠１１６を回動させるためのモーター１１７を設けた乾燥機の本体１０６を浴室１０７の天井裏に設けていた。
【０００８】
そして、前記本体１０６の下面開口を覆う形状でフィルタ１０８を有した吸込口１０９および吹出口１１１を形成し、前記モーター１１７のモーターシャフト１１７ａが出る形状で、化粧パネル１１２を前記本体１０６の下面に取り付ける。前記モーターシャフト１１７ａにはシャフト１１６ａを有する前記物掛け枠１１６が取り付けられる。前記シャフト１１６ａには洗濯物を掛けるためのハンガー１１８を取り付けるための穴１１６ｂが設けられている。
【０００９】
また、運転時間をセットするタイマー１１３および物掛け枠の回動をオン、オフさせるスイッチ１１９を備えたリモコンスイッチ１１４をケーブル１３０により前記本体１０６内の循環用送風機１０２、換気用送風機１０３およびモーター１１７に接続している。
【００１０】
上記構成において、温風の吹出方向を可変させるタイプについては、浴室換気乾燥機を運転すると、循環用送風機１０２により本体１０６の下面に設けられた化粧パネル１１２の吸込口１０９よりフィルタ１０８を介して浴室１０７の空気が本体１０６に吸い込まれ、熱交換器１０１で熱交換され温められた温風１１５を可動自在なルーバー１１０を有する吹出口１１１より吹き出し、浴室１０７内の取付棒１２０に吊り下げられた洗濯物１２１に当て乾燥していた。
【００１１】
そして、前記洗濯物１２１より除去された水分により浴室１０７内の空気の絶対湿度が上昇するため、換気用送風機１０３により、換気口１０５、ダクト１０４を介して浴室１０７内の湿った空気の一部を屋外に排出して浴室１０７内の絶対湿度の上昇を抑え、リモコンスイッチ１１４に設けられたタイマー１１３のセットされた時間だけ浴室換気乾燥機が運転していた。
【００１２】
また、洗濯物を回動させ温風を当てるタイプについては、浴室換気乾燥機を運転すると、同様に温風１１５を吹出口１１１より吹き出す。このとき浴室１０７内で物掛け枠１１６に掛けられたハンガー１１８に吊り下げられた洗濯物１２１に当て乾燥していた。同時に物掛け枠１１６は、リモコンスイッチ１１４のスイッチ１１９をオンすることにより、本体２のモーター１１７が回動し前記洗濯物１２１にはまんべんなく温風１１５が当たるようになっていた。
【００１３】
そして、前記洗濯物１２１より除去された水分により浴室１０７内の空気の絶対湿度が上昇するため、換気用送風機１０３により、換気口１０５、ダクト１０４を介して浴室１０７内の湿った空気の一部を屋外に排出して浴室１０７内の絶対湿度の上昇を抑え、リモコンスイッチ１１４に設けられたタイマー１１３のセットされた時間だけ浴室換気乾燥機が運転していた。
【００１４】
【発明が解決しようとする課題】
このような従来の温風の吹出方向を可変させるタイプの浴室換気乾燥機においては、吹出口１１１の幅は浴室の幅に対し５０％以下であり、浴室内の取付棒１２０に掛けられた洗濯物１２１に温風１１５を吹き付けた場合、取付棒１２０の両端に掛けられた洗濯物１２１の乾燥が悪いため全体としての乾燥時間が長くなるという問題があった。
【００１５】
また、洗濯物を回動させ温風を当てるタイプについては、物掛け枠１１６を回動させるための機構に費用がかかるとともに、物掛け枠に掛けられる洗濯物１２１の重量にアンバランスが有ると前記物掛け枠１１６の回動がスムーズに行かない場合が有るという問題があった。
【００１６】
本発明は上記課題を解決するもので、むらなく洗濯物を乾燥できる浴室換気乾燥機を提供することを第１の目的とする。
【００１７】
また、第２の目的は洗濯物の量により吹き出しを１方向と２方向に選択できる浴室換気乾燥機を得ることにある。
【００１８】
また、第３の目的は温風の吹出角度により前記温風が直接吸込口に吸い込まれる、いわゆるショートサーキット現象を防ぐ構造を持つ浴室換気乾燥機を得ることにある。
【００１９】
【課題を解決するための手段】
本発明の浴室換気乾燥機は上記第１の目的を達成するために第１の手段は、下面を開口し内部に熱交換器と循環用送風機と換気用送風機を設け、前記換気用送風機の換気口を側部に形成した乾燥機の本体と、この本体の下面開口を覆う形状で吸込口および吹出口を形成した化粧パネルと、前記吹出口外面に着脱可能な、スリット状の開口を有する吹出チャンバーとを備え、前記吹出チャンバーの幅を前記本体の幅より広く形成した構成とする。
【００２０】
また、第２の目的を達成するために第２の手段は、吹出口に着脱自在に設けられる吹出チャンバーに空気を吹き出すスリットを設け、前記スリットに通気口と遮蔽部を有した仕切部材を可動自在に設け、吹出方向を単一または複数に可変できる構成とする。
【００２１】
また、第３の目的を達成するために第３の手段は、化粧パネルの吸込口と吹出口との間を仕切り遮蔽するように前記吸込口側に支点を有する遮蔽パネルを可動自在に設けた構成とする。
【００２２】
【作用】
本発明は上記した第１の手段の構成により、循環用送風機と熱交換器の作用により浴室内に吹き出される温風を吹出チャンバーで幅広く吹き出すようにし、洗濯物にまんべんなく温風が当たるようにすることにより洗濯物の乾燥むらをなくし、乾燥時間を短縮することとなる。
【００２３】
また、第２の手段の構成により、洗濯物の量に応じ、可動の仕切部材を動かし吹出チャンバーの温風の吹出方向を１方向と２方向に切り換えられることにより効果的に乾燥を行うことができることとなる。
【００２４】
また、第３の手段の構成により、温風がショートサーキットする恐れのある場合は化粧パネルの吹出口と吸込口の間にある遮蔽パネルを回転させ、吹き出した温風が直接吸込口に吸い込まれるのを防止することとなる。
【００２５】
【実施例】
（実施例１）
以下、本発明の第１実施例について図１および図２を参照しながら説明する。なお、従来例と同一部分には同一符号を付けて詳細な説明は省略する。
【００２６】
図に示すように、吹出口１１１外面に、本体１０６よりも幅の広い、脱着可能で、スリット状開口１を円弧面に有する吹出チャンバー２を設ける。
【００２７】
上記構成において、浴室内の吊下棒１２０に吊り下げられた洗濯物１２１を乾燥させるべく浴室換気乾燥機を運転すると、循環用送風機１０２によって吸込口１０９より流入した浴室内の空気は熱交換器１０１を通過して熱交換され温風１１５を吹出口１１１を介し吹出チャンバー２より浴室内に幅広く送風するため洗濯物１２１がむらなく乾燥される。
【００２８】
一方吸込口１０９より本体１０６内に流入した、前記洗濯物１２１より除去された水分による湿った空気の一部は換気用送風機１０３により換気口１０５からダクト１０４を介して屋外へ排出される。
【００２９】
このように本発明の第１実施例の浴室換気乾燥機によれば、吹出口１１１に本体１０６より幅の広い形状でスリット状開口１を有する吹出チャンバー２を設けているので、熱交換された温風１１５が浴室内に幅広く送風され、浴室内に吊下げられた複数の洗濯物１２１にむらなく温風が接触して洗濯物１２１を速やかに乾燥することができる。
【００３０】
（実施例２）
以下、本発明の第２実施例について図３および図４を参照しながら説明する。なお、第１実施例と同一部分には同一符号を付けて詳細な説明は省略する。
【００３１】
図に示すように、化粧パネル１１２の吹出口１１１に脱着可能に取り付けられる吹出チャンバー２Ａの円弧面を有する下方部に円弧面に沿い円弧状のスリット３を複数形成し、円弧状で中央部につまみ４を有した遮蔽部５Ａを設け、両端部近傍には通気口５Ｂを形成した仕切部材５を吹出チャンバー２Ａの内部において、前記スリット３に沿い可動自在に設け、つまみ４は吹出チャンバー２Ａの外部に露出するように構成する。
【００３２】
上記構成において、洗濯物（図示せず）を乾燥する場合、洗濯物が多いときには、図４に示すようにつまみ４の位置を吹出チャンバー２Ａのほぼ中央に位置させ、仕切部材５の両端部近傍に設けた左右の通気口５Ｂをスリット３に連通させることにより、吹出チャンバー２Ａに送られた温風は吹出チャンバー２Ａ内より仕切部材５に形成した左右の通気口５Ｂを経てスリット３を通り、吹出チャンバー２Ａより吹き出された温風１１５は多くの洗濯物に接触して乾燥が行われる。
【００３３】
また、洗濯物が少なく、例えば吹出チャンバー２Ａの右側の位置に洗濯物が吊り下げられている場合には、つまみ４により仕切部材５を時計方向に回動し右側の通気口５Ｂを吹出チャンバー２Ａに形成されたスリット３の右側部分に連通しスリット３の左側部分は遮蔽部５Ａで覆われ、吹出チャンバー２Ａから吹き出される温風は右側の一方向に集中して洗濯物に向かい吹き出され乾燥が行われる。
【００３４】
このように本発明の第２実施例の浴室換気乾燥機によれば、吹出チャンバー２Ａから吹き出される温風を仕切部材５を可動することにより２方向あるいは１方向に向け吹き出すことができるので、浴室内に吊り下げられた洗濯物の容量および位置に対応して温風が拡散または集中して洗濯物に接触するため短時間の間に効率よく乾燥をすることができる。
【００３５】
（実施例３）
以下、本発明の第３実施例について図５を参照しながら説明する。なお、第１実施例と同一部分には同一符号を付けて詳細な説明は省略する。
【００３６】
図に示すように、化粧パネル１１２の吹出口１１１と吸込口１０９の間に、吸込口側に支点６を有する遮蔽パネル７を設けた構成とする。
【００３７】
上記構成において、温風１１５の吹出方向が吸込口１０９側に向いている場合、遮蔽パネル５を支点６を介して回転させることにより、吹き出された温風１１５が遮蔽パネル７により直接吸込口１０９に吸い込まれるのを防ぐこととなる。
【００３８】
このように本発明の第３実施例の浴室換気乾燥機によれば吸込口１０９と吹出口１１１との間に遮蔽パネル７を支点６を介して回動自在に設けているので、遮蔽パネル７を可動して遮蔽パネル７の角度を変えることにより吹出口１１１から吹き出される温風１１５の方向を洗濯物に向け可変することができるとともに、吹出口１１１から吹き出された温風１１５が直接吸込口１０９に吸い込まれるショートサーキットを防止することができる。
【００３９】
【発明の効果】
以上の実施例から明らかなように本発明によれば、吹出口に本体より幅の広いスリット状の開口を有する吹出チャンバーを設け温風を吹き出すので、洗濯物にむらなく温風が当たり、洗濯物を均一に乾燥するので乾燥時間を短縮できランニングコストの少ない浴室換気乾燥機を提供できる。
【００４０】
また、洗濯物の量に応じて温風の吹出方向を１方向と２方向に選択して吹き出せる吹出チャンバーを取り付けているので、効果的に乾燥運転を行うことができることとなる。
【００４１】
また、吸込口と吹出口の間に、吸込口側に支点を有する遮蔽パネルを設けているので、吹出口より吹き出される温風が吸込口側に向いていても、温風がショートサーキットをおこさないため能力の低下がなく経済的に乾燥運転を行うことができる。
【図面の簡単な説明】
【図１】本発明の第１実施例の浴室換気乾燥機の断面図
【図２】同第１実施例の浴室換気乾燥機による洗濯物の乾燥状態を示す斜視図
【図３】同第２実施例の浴室換気乾燥機の吹出チャンバーの構成を示す斜視図
【図４】同第２実施例の浴室換気乾燥機の吹出チャンバーの断面図
【図５】同第３実施例の浴室換気乾燥機の構成を示す側面図
【図６】従来の温風の吹き出し方向を可変させるタイプの浴室換気乾燥機の断面図
【図７】同温風の吹き出し方向を可変させるタイプの浴室換気乾燥機の構成を示す斜視図
【図８】同洗濯物を回動させて温風を当てるタイプの浴室換気乾燥機の構成を示す概略図
【符号の説明】
１      スリット状開口
２      吹出チャンバー
２Ａ        吹出チャンバー
３      スリット
５            仕切部材
５Ａ    遮蔽部
５Ｂ      通気口
６            支点
７            遮蔽パネル
１０１  熱交換器
１０２  循環用送風機
１０３    換気用送風機
１０５    換気口
１０６  本体
１０９  吸込口
１１１  吹出口
１１２  化粧パネル
【図１】
0003602173.tif 000002
【図２】
0003602173.tif 000003
【図３】
0003602173.tif 000004
【図４】
0003602173.tif 000005
【図５】
0003602173.tif 000006
【図６】
0003602173.tif 000007
【図７】
0003602173.tif 000008
【図８】
0003602173.tif 000009